(57)【要約】【課題】  誘引光源からの誘引光の放出や虫の捕獲経路が上方向のみに限定されることなく、下方向へ誘引光が放出されるとともに、下方向から虫を誘引することができる捕獲殺虫性能の優れた捕獲殺虫装置を提供することにある。【解決手段】  建物の壁面（１０）に取り付けられる本体ボディ（１）があって、この本体ボディ（１）内に納められて、虫を誘引する紫外線を含有した光を照射する誘引光源（２）と、この誘引光源（２）からの光を直接目に入射させないように遮蔽する遮光部材（３）と、誘引した虫を捕獲する粘着部材（４）とを有した捕獲殺虫装置において、上記遮光部材（３）の下部または左右と上記本体ボディ（１）が設置される壁面（１０）との間に隙間（５）を設けるとともに、空調などの風により虫が落下するのを防止する落下防止部材（６）を設けた。【選択図】  図１
2005058050.tif 000002
【特許請求の範囲】
【請求項１】
建物の壁面に取り付けられる本体ボディがあって、この本体ボディ内に納められて、虫を誘引する紫外線を含有した光を照射する誘引光源と、この誘引光源からの光を直接目に入射させないように遮蔽する遮光部材と、誘引した虫を捕獲する粘着部材とを有した捕獲殺虫装置において、上記遮光部材の下部または左右と上記本体ボディが設置される壁面との間に隙間を設けるとともに、空調などの風により虫が落下するのを防止する落下防止部材を設けたことを特徴とする捕獲殺虫装置。
【請求項２】
上記落下防止部材が、上記誘引光源からの誘引光を反射するものであることを特徴とする請求項１記載の捕獲殺虫装置。
【請求項３】
上記落下防止部材が、複数枚のルーバにて形成されたものであることを特徴とする請求項１または請求項２記載の捕獲殺虫装置。
【請求項４】
上記落下防止部材を上記遮光部材に兼ねさせたことを特徴とする請求項１記載の捕獲殺虫装置。
【請求項５】
上記遮光部材の下部の形状が、断面略半円状に形成されていることを特徴とする請求項４記載の捕獲殺虫装置。
【発明の詳細な説明】
【技術分野】
【０００１】
本発明は、捕獲殺虫装置に関するものであり、具体的には、虫を誘引する紫外線を含有した光を照射する誘引光源と、この誘引光源からの光を直接目に入射させないように遮蔽する遮光部材と、誘引した虫を捕獲する粘着部材とを有し、建物の壁面に取り付けられる捕獲殺虫装置に関するものである。
【背景技術】
【０００２】
従来の捕獲殺虫装置としては、例えば、下記の特許文献１として示された特開平８−１４０５４９号公報のようなものが知られていた。このような捕獲殺虫装置としては、具体的には、本体ボディがあって、この本体ボディ内に納められて、虫を誘引する紫外線を含有した光を照射する誘引光源と、この誘引光源からの光を直接目に入射させないように遮蔽する遮光部材とを有していたものであった。
【特許文献１】特開平８−１４０５４９号公報
【発明の開示】
【発明が解決しようとする課題】
【０００３】
しかしながら、上述したような捕獲殺虫装置であると、誘引光源によって、虫を本体ボディの方へ誘い、同本体ボディ内に虫を確実に誘い込むことはできるものの、一旦本体ボディ内に入った虫が外へ逃げることもできるものであり、結果として、本体ボディ内に入った虫の全てを確実に捕獲することはできないものであった。
【０００４】
そこで、図７および図８に示すごとく、建物の壁面（１０）に取り付けられる本体ボディ（１）があって、この本体ボディ（１）内に納められ、虫を誘引する紫外線を含有した光を照射する誘引光源（２）と、この誘引光源（２）からの光を直接目に入射させないように本体ボディ（１）の下部を遮蔽する遮光部材（３）と、本体ボディ（１）の内面に取り付けられ、誘引した虫を捕獲する粘着部材（４）とを有した捕獲殺虫装置が考えられたものである。
【０００５】
このような従来の捕獲殺虫装置としては、誘引した虫を捕獲する粘着部材（４）により確実に本体ボディ（１）内に入った虫の全てを捕獲することはできるものの、空調などの風により、虫が上方向から落下するとともに、誘引光源（２）からの誘引光が上方向へ放出され、この誘引光に誘引された虫が上方向から本体ボディ（１）内に入るというように、虫の捕獲経路が上方向に限定されているものであり、本体ボディ（１）の下方に飛翔している虫、もしくは、壁面（１０）に止まっている虫には誘引光が届かず、結果として、下方向から虫を本体ボディ（１）内へは誘引できない構造になっていたものであった。また、仮に、誘引光源（２）の微弱な熱や誘引光が本体ボディ（１）の下方に届き、このような微弱な熱や誘引光に虫が引き寄せられたとしても、本体ボディ（１）の下方には捕獲口がないために、下方向から虫を捕獲できないものであった。
【０００６】
本発明は、上述の事実に鑑みてなされたものであって、その目的とするところは、誘引光源からの誘引光の放出や虫の捕獲経路が上方向のみに限定されることなく、下方向へ誘引光が放出されるとともに、下方向から虫を誘引することができる捕獲殺虫性能の優れた捕獲殺虫装置を提供することにある。
【課題を解決するための手段】
【０００７】
上記課題を解決するために、本発明においてはつぎのような技術的手段を講じている。
【０００８】
すなわち、本発明の請求項１に係る捕獲殺虫装置は、建物の壁面（１０）に取り付けられる本体ボディ（１）があって、この本体ボディ（１）内に納められて、虫を誘引する紫外線を含有した光を照射する誘引光源（２）と、この誘引光源（２）からの光を直接目に入射させないように遮蔽する遮光部材（３）と、誘引した虫を捕獲する粘着部材（４）とを有した捕獲殺虫装置において、上記遮光部材（３）の下部または左右と上記本体ボディ（１）が設置される壁面（１０）との間に隙間（５）を設けるとともに、空調などの風により虫が落下するのを防止する落下防止部材（６）を設けたことを特徴としている。
【０００９】
本発明の請求項２に係る捕獲殺虫装置は、上記落下防止部材（６）が、上記誘引光源（２）からの誘引光を反射するものであることを特徴としている。
【００１０】
本発明の請求項３に係る捕獲殺虫装置は、上記落下防止部材（６）が、複数枚のルーバ（７）にて形成されたものであることを特徴としている。
【００１１】
本発明の請求項４に係る捕獲殺虫装置は、上記落下防止部材（６）を上記遮光部材（３）に兼ねさせたことを特徴としている。
【００１２】
本発明の請求項５に係る捕獲殺虫装置は、上記遮光部材（３）の下部の形状が、断面略半円状に形成されていることを特徴としている。
【発明の効果】
【００１３】
本発明の捕獲殺虫装置によると、誘引光源（２）からの誘引光に誘引された虫が本体ボディ（１）の上下方向からより一層強い光を目指して、遮光部材（３）の内側に接近して、その結果、遮光部材（３）の内側に取り付けられた誘引した虫を捕獲する粘着部材（４）に接触して、確実に捕獲されて殺虫されるものである。捕獲経路が上下方向のいずれからでも良くて限定されていないために、従来の場合に比べて、捕獲殺虫性能が飛躍的に向上するものである。
【００１４】
また、落下防止部材（６）により、本体ボディ（１）の上方を飛んでいる虫が空調などの風で下方へあおられても、同落下防止部材（６）の上に落ちるか当たるために、隙間（５）を通って床などに直接落下することがないものとなり、よって、簡単でありながら、安価に虫の落下防止を行うことができて、衛生的にも非常に良くて安心なものである。しかも、同落下防止部材（６）の存在により、空調などの風の影響を防ぐことができて、また、誘引光源（２）からの光を周囲へ反射させることもできるものであり、このような点でも虫を誘引させる効果を高めることができるものである。
【００１５】
以上のことから、本発明は、誘引光源（２）からの誘引光の放出や虫の捕獲経路が上方向のみに限定されることなく、下方向へ誘引光が放出されるとともに、下方向から虫を誘引することができる捕獲殺虫性能の優れたものである。
【発明を実施するための最良の形態】
【００１６】
以下、この発明を実施するための最良の形態について、図面を参照しながら詳細に説明する。
【００１７】
図１は、本発明の実施形態１に係る捕獲殺虫装置を示した断面図である。図２は、図１の捕獲殺虫装置の斜視図である。図３は、本発明の実施形態２に係る捕獲殺虫装置を示した断面図である。図４は、図３の捕獲殺虫装置の斜視図である。図５は、本発明の実施形態３に係る捕獲殺虫装置を示した断面図である。図６は、図５の捕獲殺虫装置の斜視図である。
【００１８】
本発明の捕獲殺虫装置は、図１ないし図６に示すごとく、建物の壁面（１０）に取り付けられる本体ボディ（１）があって、この本体ボディ（１）内に納められて、虫を誘引する紫外線を含有した光を照射する誘引光源（２）と、この誘引光源（２）からの光を直接目に入射させないように遮蔽する遮光部材（３）と、誘引した虫を捕獲する粘着部材（４）とを有した捕獲殺虫装置において、上記遮光部材（３）の下部または左右と上記本体ボディ（１）が設置される壁面（１０）との間に隙間（５）を設けるとともに、空調などの風により虫が落下するのを防止する落下防止部材（６）を設けているものである。
【００１９】
以下、各々の実施形態について説明をする。
【００２０】
（実施形態１）
図１および図２に本発明の請求項１および請求項２に対応する実施形態１を示す。この捕獲殺虫装置は、本体ボディ（１）と本体ボディ（１）に組み込まれたソケット、虫を誘引する紫外線を含有した光を照射する誘引光源（２）、この誘引光源（２）を発光させる点灯回路、同誘引光源（２）からの光を遮断するとともに、取り付けの壁面（１０）へ光を反射させる遮光部材（３）としての遮光板、同遮光板の内側に取り付けられた粘着部材（４）としての粘着シート、および、空調などの風による虫の落下を防止する落下防止部材（６）によって構成されているものである。上記本体ボディ（１）は、取り付けの壁面（１０）に直付けされるものである。誘引光源（２）は、一般的に虫が誘引される波長３８０ｎｍ付近の近紫外線を放出するものが望ましく、例えば、ソケットに取り付けられるものである。
【００２１】
また、上記粘着部材（４）として採用された粘着シートは、害虫捕獲を目的とした粘着剤が粘着シートの表面の少なくとも一部分に塗布されており、粘着剤が塗布された面が誘引光源（２）側になるように遮光部材（３）としての遮光板の内側に容易に着脱可能な方法で取り付けられているものである。
【００２２】
また、上記遮光部材（３）として採用された遮光板は、上記本体ボディ（１）に着脱可能、あるいは、可動可能な方法で取り付けの壁面（１０）に対して、上下方向に隙間（５）を設けるように取り付けられているものである。さらに、落下防止部材（６）は、本体ボディ（１）の上部に設けられたファン（８）のような空調などの風を遮るとともに、充分に本体ボディ（１）内に入り込むことができ、かつ、誘引光源（２）からの誘引光を前方の方向へ反射できるように、角度をもって取り付けられているものである。
【００２３】
上記落下防止部材（６）としては、反射効率を上げるためにアルミニウムを使用することが望ましいものである。これにより、本体ボディ（１）の上下方向に開放空間が形成されて、誘引光源（２）からの誘引光が直接または遮光部材（３）としての遮光板および落下防止部材（６）に反射されて、結果として、本体ボディ（１）の上下方向に放出されるものである。
【００２４】
（実施形態２）
図３および図４に本発明の請求項１および請求項３に対応する実施形態２を示す。この実施形態は、上記落下防止部材（６）として、複数枚のルーバ（７）を用いて形成されたものである。このルーバ（７）により、空調などの風を遮るとともに、誘引光源（２）からの誘引光は、上方向へ放出できて、かつ、虫が充分に本体ボディ（１）内に入り込むことができる空間を確保することが可能なものである。
【００２５】
（実施形態３）
図５および図６に本発明の請求項１、請求項４および請求項５に対応する実施形態３を示す。この実施形態は、上記落下防止部材（６）として、上記遮光部材（３）に兼ねさせているものであり、しかも、同遮光部材（３）の下部の形状が、断面略半円状に形成されているものである。このように形成することにより、遮光部材（３）に落下防止部材（６）を兼ねさせた分だけ、部材点数を削減することができて、その結果、空調などの風から虫の落下を防止することが可能なものである。
【図面の簡単な説明】
【００２６】
【図１】本発明の実施形態１に係る捕獲殺虫装置を示した断面図である。
【図２】図１の捕獲殺虫装置の斜視図である。
【図３】本発明の実施形態２に係る捕獲殺虫装置を示した断面図である。
【図４】図３の捕獲殺虫装置の斜視図である。
【図５】本発明の実施形態３に係る捕獲殺虫装置を示した断面図である。
【図６】図５の捕獲殺虫装置の斜視図である。
【図７】従来例に係る捕獲殺虫装置を示した断面図である。
【図８】図７の捕獲殺虫装置の斜視図である。
【符号の説明】
【００２７】
１    本体ボディ
２    誘引光源
３    遮光部材
４    粘着部材
５    隙間
６    落下防止部材
７    ルーバ
１０  壁面
【図１】
2005058050.tif 000003
【図２】
2005058050.tif 000004
【図３】
2005058050.tif 000005
【図４】
2005058050.tif 000006
【図５】
2005058050.tif 000007
【図６】
2005058050.tif 000008
【図７】
2005058050.tif 000009
【図８】
2005058050.tif 000010